(57)【特許請求の範囲】
【請求項１】
皺葉狗尾草（Ｓｅｔａｒｉａ  ｐｌｉｃａｔａ（Ｌａｍｋ．）Ｔ．  Ｃｏｏｋｅ）の種子の発芽率・生存率向上方法において、
皺葉狗尾草の種子を白千層（Ｍｅｌａｌｅｕｃａ  ｌｅｕｃａｄｅｎｄｒａ  Ｌｉｎｎ）の葉身の葉浸出液に５〜８分間浸し、播種して培養し、発芽させて成長させる、
ことを特徴とする皺葉狗尾草の種子の発芽率・生存率向上方法。
【請求項２】
請求項１に記載の方法において、
前記の白千層の葉身の葉浸出液は、枯れ落ちた白千層の葉身を１０００ｇにつき３ｋｇの水に入れ、１０分間沸騰させ、ろ過して得られる、
ことを特徴とする方法。
【請求項３】
請求項１または２に記載の方法において、
皺葉狗尾草の種子を白千層の葉身の葉浸出液に５〜８分間浸した後、皺葉狗尾草の種子１０００ｇ毎に１０〜１２ｇの腐植酸を混合し、播種して培養し、発芽させて成長させる、
ことを特徴とする方法。
【請求項４】
皺葉狗尾草を利用した、住宅地における高木下の緑地の緑化・浄化方法において、
皺葉狗尾草の種子を白千層の葉身の葉浸出液に５〜８分間浸し、８〜１２ｇ／ｍ２の種子密度で住宅地における各種の高木緑化林下の土壌に撒播し、種子の発芽期間中、土壌の水分含有量が２５〜３０％となるように制御し、種子を発芽させて成長させる工程を含む、
ことを特徴とする、皺葉狗尾草を利用した、住宅地における高木下の緑地の緑化・浄化方法。
【請求項５】
請求項４に記載の方法において、
前記の白千層の葉身の葉浸出液は、枯れ落ちた白千層の葉身を１０００ｇにつき３ｋｇの水に入れ、１０分間沸騰させ、ろ過して得られる、
ことを特徴とする方法。
【請求項６】
請求項４または５に記載の方法において、
皺葉狗尾草の種子を白千層の葉身の葉浸出液に５〜８分間浸した後、皺葉狗尾草の種子１０００ｇ毎に１０〜１２ｇの腐植酸を混合し、その後８〜１２ｇ／ｍ２の種子密度で住宅地における各種の高木緑化林下の土壌に撒播し、種子の発芽期間中、土壌の水分含有量が２５〜３０％となるように制御し、種子を発芽させて成長させる、
ことを特徴とする方法。
【発明の詳細な説明】
【技術分野】
【０００１】
本発明は、都市や町の住宅地の緑化作りにおける耐陰性芝生の植え付け方法に関し、具体的には、耐陰性皺葉狗尾草（Ｓｅｔａｒｉａ  ｐｌｉｃａｔａ（Ｌａｍｋ．）Ｔ．  Ｃｏｏｋｅ）を利用した、住宅地における高木下の緑地の緑化・浄化方法に関する。
【背景技術】
【０００２】
林下の緑地は、都市や町における住宅地の緑化によく見られる緑地形態であり、塵埃の付着、空気の浄化、二酸化炭素の固定および酸素の放出、景観効果の向上などにおいて重要な役割を果たす。しかし、住宅地の林下緑地において耐陰性草本層は多く植えられておらず、緑地林下で使用する草の種類も比較的少ないため、多くの高木および低木の下は雑草が生えてくるか裸状態になっている。特に住宅地の公共緑地においては、林下の耐陰環境における草本植物の植え付けコストが高く、成長が遅く、かつ蚊やハエが繁殖しやすい。最も主要な原因として、これらのエリアに程度の異なる遮光が存在することが挙げられ、一般的な好光性芝生用草の種子が生存することは難しく、このような林下緑地では一般的に品質が悪い。このため、住宅地の林下層に耐陰性緑地をつくる植え付け技術は非常に重要となっている。
【０００３】
皺葉狗尾草（Ｓｅｔａｒｉａ  ｐｌｉｃａｔａ（Ｌａｍｋ．）Ｔ．  Ｃｏｏｋｅ）は、イネ科（Ｇｒａｍｉｎｅａｅ）の植物であり、馬草、爛衣草とも言う。多年生草本であり、高さは３０〜５０ｃｍである。茎はまっすぐであり、基部が広くなることがある。葉身は、楕円形から矩円形まであり、強い皺を有し、長さは７〜２０ｃｍ、幅は１〜３ｃｍあり、両端は次第に尖り、両面の脈を乳突形状のまばらで長い毛が覆う。円台形の花序は、尖ってタワー形状を呈し、３０ｃｍと長い。頴果を有し、小穂は、楕円形で、長さは約３ｍｍであり、短くて尖り、短い小枝に密に配列している。穂は９〜１０月に出る。主にインド、マレーシア、中国の長江領域より南の各省や地域に分布する。主に山坂の林下、溝や谷の陰湿箇所または道端の雑草地で成長する。果実は食用でき、薬用として主に解毒、殺虫、駆風に用いられる。
【発明の概要】
【課題を解決するための手段】
【０００４】
本発明の第一の目的は、皺葉狗尾草の種子の発芽率・生存率を向上させることが可能な方法を提供することである。
【０００５】
皺葉狗尾草（コササキビ）（Ｓｅｔａｒｉａ  ｐｌｉｃａｔａ（Ｌａｍｋ．）Ｔ．  Ｃｏｏｋｅ）の種子の発芽率・生存率向上方法において、皺葉狗尾草の種子を白千層（Ｍｅｌａｌｅｕｃａ  ｌｅｕｃａｄｅｎｄｒａ  Ｌｉｎｎ）の葉身の葉浸出液に５〜８分間浸し、播種して培養し、発芽させて成長させることを特徴とする。
【０００６】
前記の白千層の葉身の葉浸出液は、枯れ落ちた白千層の葉身を１０００ｇにつき３ｋｇの水に入れ、１０分間沸騰させ、ろ過して得ることが好ましい。
【０００７】
さらに、皺葉狗尾草の種子を白千層の葉身の葉浸出液に５〜８分間浸した後、皺葉狗尾草の種子１０００ｇ毎に１０〜１２ｇの腐植酸を混合し、播種して培養し、発芽させて成長させることが好ましい。
【０００８】
本発明の第二の目的は、皺葉狗尾草を利用した、住宅地における高木下の緑地の緑化・浄化方法を提供し、皺葉狗尾草の種子の発芽率・生存率を特殊な処理で高め、住宅地における高木下の緑地を皺葉狗尾草で迅速かつ効果的に緑化・浄化することである。
【０００９】
皺葉狗尾草を利用した、住宅地における高木下の緑地の緑化・浄化方法において、皺葉狗尾草の種子を白千層の葉身の葉浸出液に５〜８分間浸し、８〜１２ｇ／ｍ２の種子密度で住宅地における各種の高木緑化林下の土壌に撒播し、種子の発芽期間中、土壌の水分含有量が２５〜３０％となるように制御し、種子を発芽させて成長させる工程を含むことを特徴とする。
【００１０】
前記の白千層の葉身の葉浸出液は、枯れ落ちた白千層の葉身を１０００ｇにつき３ｋｇの水に入れ、１０分間沸騰させ、ろ過して得ることが好ましい。
【００１１】
さらに、皺葉狗尾草の種子を白千層の葉身の葉浸出液に５〜８分間浸した後、皺葉狗尾草の種子１０００ｇ毎に１０〜１２ｇの腐植酸を混合し、その後８〜１２ｇ／ｍ２の種子密度で住宅地における各種の高木緑化林下の土壌に撒播し、種子の発芽期間中、土壌の水分含有量が２５〜３０％となるように制御し、種子を発芽させて成長させることが好ましい。
【００１２】
播種前に、播種用土壌にある雑草を除去し、土壌が比較的痩せている場合は、まず有機肥料を基肥として施肥することが好ましい。
【発明の効果】
【００１３】
本発明の、皺葉狗尾草を利用した、住宅地における高木下の緑地の緑化・浄化方法は、播種地の土壌の遮光率が２０〜９０％である場合にいずれも効果的に実施できる。
【００１４】
本発明において、皺葉狗尾草の種子を白千層の葉身の葉浸出液で処理すると、種子の発芽率は８６％以上、生存率は６０％以上に達する。一方、白千層の葉身の葉浸出液で処理しない皺葉狗尾草の種子の場合は、種子の発芽率は５２％以上でしかなく、生存率は１０％より低い。これから分かるように、皺葉狗尾草の種子を白千層の葉身の葉浸出液で処理することによって、皺葉狗尾草の種子の発芽率と生存率とを効果的に向上させることができ、播種する種子を節約し、コストを低減することができる。
【００１５】
さらに皺葉狗尾草の種子を白千層の葉身の葉浸出液に５〜８分間浸した後、皺葉狗尾草の種子１０００ｇ毎に１０〜１２ｇの腐植酸を混合し、播種して培養し、発芽させることで、種子の発芽率は９５％以上、最高で９９％に達し、生存率は９０％以上に達する。白千層の葉身の葉浸出液と腐植酸とを組み合わせて処理することによって、皺葉狗尾草の種子の発芽率と生存率とをさらに向上させることができ、より一層播種する種子を節約し、さらにコストを低減することができる。
【００１６】
本発明は、極めて強い耐陰力がありながら冷季型と暖季型とを兼ねる草である郷土植物の皺葉狗尾草を、住宅地の緑地高木林下の緑地に植え付けるための草として選択する。極めて強い耐陰性を有し、かつ植え付けやすく、管理が少なくて済み、成長が速く、地表を覆うのが速くて、緻密な芝生を、比較的短時間で形成できるといった特徴を利用する。皺葉狗尾草の種子を白千層の葉身の葉浸出液で処理することで、皺葉狗尾草の種子の発芽率と生存率とが向上し、発芽率は８６％以上、生存率は６０％以上に達する。次に、住宅地における各種の高木緑化林下の土壌に撒播する。種子の発芽期間中、土壌の水分含有量が２５〜３０％となるように制御し、種子を発芽させて成長させる。種子が発芽した後は、栽培管理を必要とせず、通常１週間ほどで高さ１０ｃｍの緻密な草本層を形成でき、切り整える必要はない。皺葉狗尾草は、郷土植物であり、その果実は食用でき（中毒性はない）、生物による侵入はない。根系が発達し、強い水土保持力を有する。基本的に施肥する必要はなく、しかも病虫害の発生が極めて少ない。したがって、植え付けや管理のコストはいずれも低い。最も重要なのは、蚊やハエを駆除する機能も有し、揃っていて景観が美しいことである。すなわち、緑化と浄化の二重機能を有する。一部踏み付けにも耐えることができ、住宅地での使用に非常に好適であり、高架下の緑化・浄化にも用いられる。
【発明を実施するための形態】
【００１７】
以下の実施例は、本発明に対する更なる説明であり、本発明に対する限定ではない。
【００１８】
比較例１
皺葉狗尾草の種子を１０ｇ／ｍ２の密度で華南植物園の高木林下の土壌（遮光率は３５％であった）に撒播した。播種前に、土壌にあった雑草を除去した。種子の発芽期間中（通常は播種後３日間）、水やりによって土壌の水分含有量が２５〜３０％となるように制御し、種子を発芽させて成長させた。種子の発芽率と生存率とを統計したところ、種子の発芽率は５２％、生存率は１０％であった。
【００１９】
比較例２
皺葉狗尾草の種子について、１０００ｇの種子毎に１０ｇの腐植酸を混合し、その後１０ｇ／ｍ２の密度で華南植物園の高木林下の土壌（遮光率は３５％であった）に撒播した。播種前に、土壌にあった雑草を除去した。種子の発芽期間中（通常は播種後３日間）、水やりによって土壌の水分含有量が２５〜３０％となるように制御し、種子を発芽させて成長させた。種子の発芽率と生存率とを統計したところ、種子の発芽率は６５％、生存率は５０％であった。
【００２０】
実施例１
枯れ落ちた白千層（Ｍｅｌａｌｅｕｃａ  ｌｅｕｃａｄｅｎｄｒａ  Ｌｉｎｎ）の葉身を集め、枯れ落ちた白千層の葉身を１０００ｇにつき３ｋｇの水に入れ、１０分間沸騰させ、ろ過して白千層の葉身の葉浸出液を得た。皺葉狗尾草の種子を白千層の葉身の葉浸出液に５分間浸し、その後１０ｇ／ｍ２の密度で華南植物園の高木林下の土壌（遮光率は４０％であった）に撒播した。播種前に、土壌にあった雑草を除去した。種子の発芽期間中（通常は播種後３日間）、水やりによって土壌の水分含有量が２５〜３０％となるように制御し、種子を発芽させて成長させた。種子の発芽率と生存率とを統計したところ、種子の発芽率は８６％、生存率は６０％であった。皺葉狗尾草の種子が発芽した後は、栽培管理を必要とせず、１週間後に高さ１０ｃｍ近くの緻密な草本層が形成され、切り整える必要はなかった。２週間後に２０〜３０ｃｍの高さまで達した。１年間に及ぶ観察の結果、前記の草本層は、サンプル地において良好に成長し、景観が美しく、かつ蚊やその他の虫類はなかった。
【００２１】
実施例２
枯れ落ちた白千層（Ｍｅｌａｌｅｕｃａ  ｌｅｕｃａｄｅｎｄｒａ  Ｌｉｎｎ）の葉身を集め、枯れ落ちた白千層の葉身を１０００ｇにつき３ｋｇの水に入れ、１０分間沸騰させ、ろ過して白千層の葉身の葉浸出液を得た。皺葉狗尾草の種子を白千層の葉身の葉浸出液に８分間浸し、その後１２ｇ／ｍ２の密度で華南植物園の高木林下の土壌（遮光率は４０％であった）に撒播した。播種前に、土壌にあった雑草を除去した。種子の発芽期間中（通常は播種後３日間）、水やりによって土壌の水分含有量が２５〜３０％となるように制御し、種子を発芽させて成長させた。種子の発芽率と生存率とを統計したところ、種子の発芽率は８７％、生存率は６２％であった。皺葉狗尾草の種子が発芽した後は、栽培管理を必要とせず、１週間後に高さ１０ｃｍ近くの緻密な草本層が形成され、切り整える必要はなかった。２週間後に２０〜３０ｃｍの高さまで達した。１年間に及ぶ観察の結果、前記の草本層は、サンプル地において良好に成長し、景観が美しく、かつ蚊やその他の虫類はなかった。
【００２２】
実施例３
枯れ落ちた白千層（Ｍｅｌａｌｅｕｃａ  ｌｅｕｃａｄｅｎｄｒａ  Ｌｉｎｎ）の葉身を集め、枯れ落ちた白千層の葉身を１０００ｇにつき３ｋｇの水に入れ、１０分間沸騰させ、ろ過して白千層の葉身の葉浸出液を得た。皺葉狗尾草の種子を白千層の葉身の葉浸出液に８分間浸し、１０００ｇの種子毎に１０ｇの腐植酸を混合し、その後１０ｇ／ｍ２の密度で華南植物園の高木林下の土壌（遮光率は４０％であった）に撒播した。播種前に、土壌にあった雑草を除去した。種子の発芽期間中（通常は播種後３日間）、水やりによって土壌の水分含有量が２５〜３０％となるように制御し、種子を発芽させて成長させた。種子の発芽率と生存率とを統計したところ、種子の発芽率は９５％、生存率は９０％であった。皺葉狗尾草の種子が発芽した後は、栽培管理を必要とせず、１週間後に高さ１０ｃｍ近くの緻密な草本層が形成され、切り整える必要はなかった。２週間後に２０〜３０ｃｍの高さまで達した。１年間に及ぶ観察の結果、前記の草本層は、サンプル地において良好に成長し、景観が美しく、かつ蚊やその他の虫類はなかった。
【００２３】
実施例４
枯れ落ちた白千層（Ｍｅｌａｌｅｕｃａ  ｌｅｕｃａｄｅｎｄｒａ  Ｌｉｎｎ）の葉身を集め、枯れ落ちた白千層の葉身を１０００ｇにつき３ｋｇの水に入れ、１０分間沸騰させ、ろ過して白千層の葉身の葉浸出液を得た。皺葉狗尾草の種子を白千層の葉身の葉浸出液に５分間浸し、１０００ｇの種子毎に１２ｇの腐植酸を混合し、その後８ｇ／ｍ２の密度で華南植物園の高木林下の土壌（遮光率は４０％であった）に撒播した。播種前に、土壌にあった雑草を除去した。種子の発芽期間中（通常は播種後３日間）、水やりによって土壌の水分含有量が２５〜３０％となるように制御し、種子を発芽させて成長させた。種子の発芽率と生存率とを統計したところ、種子の発芽率は９９％、生存率は９１％であった。皺葉狗尾草の種子が発芽した後は、栽培管理を必要とせず、１週間後に高さ１０ｃｍ近くの緻密な草本層が形成され、切り整える必要はなかった。２週間後に２０〜３０ｃｍの高さまで達した。１年間に及ぶ観察の結果、前記の草本層は、サンプル地において良好に成長し、景観が美しく、かつ蚊やその他の虫類はなかった。
【００２４】
実施例５
場所：中国科学院華南植物園客座マンション傍のガジュマル、白千層、サルスベリ林の下、遮光率：３０〜５０％。
【００２５】
まず実験を行なうサンプル地を整地し、土壌にあった雑草を除去し、１ｋｇ／１０ｍ２の有機肥料を基肥として施肥した。
【００２６】
枯れ落ちた白千層（Ｍｅｌａｌｅｕｃａ  ｌｅｕｃａｄｅｎｄｒａ  Ｌｉｎｎ）の葉身を集め、枯れ落ちた白千層の葉身を１０００ｇにつき３ｋｇの水に入れ、１０分間沸騰させ、ろ過して白千層の葉身の葉浸出液を得た。皺葉狗尾草の種子を白千層の葉身の葉浸出液に５分間浸し、１０００ｇの種子毎に１０ｇの腐植酸を混合し、その後１２ｇ／ｍ２の密度でサンプル地の土壌に撒播した。種子の発芽期間中（通常は播種後３日間）、水やりによって土壌の水分含有量が２５〜３０％となるように制御し、種子を発芽させて成長させた。種子の発芽率と生存率とを統計したところ、種子の発芽率は９９％、生存率は９２％であった。皺葉狗尾草の種子が発芽した後は、栽培管理を必要とせず、１週間後に高さ１０ｃｍ近くの緻密な草本層が形成され、切り整える必要はなかった。２週間後に２０〜３０ｃｍの高さまで達した。１年間に及ぶ観察の結果、前記の草本層は、サンプル地において良好に成長し、景観が美しく、かつ蚊やその他の虫類はなかった。